(57)【要約】【課題】収納する場合に折り曲げて畳むことができ、体積を収縮することができる使用形態が変更可能な椅子を提供する。【解決手段】支持ベースと、該支持ベースに、該支持ベースに対して平行になるように接続する固定フレームと、無段式の角度調整ジョイントを介して該固定フレームの一端に回動自在に接続する可動フレームと、関節部を介して連結する2つのフレームによってなり、該固定フレームの支持ベースが接続する一端に別途関節部を介して回動自在に接続する支持体とを含んでなる。【選択図】図1
0003118577.tif 000002
【実用新案登録請求の範囲】
【請求項１】
支持ベースと、
該支持ベースに、該支持ベースに対して平行になるように接続する固定フレームと、無段式の角度調整ジョイントを介して該固定フレームの一端に回動自在に接続する可動フレームと、関節部を介して連結する2つのフレームによってなり、該固定フレームの支持ベースが接続する一端に別途関節部を介して回動自在に接続する支持体とを含んでなり、折り畳み自在に構成することを特徴とする使用形態が変更可能な椅子。
【請求項２】
前記固定フレーム、可動フレーム、支持体を被覆体で被覆することを特徴とする請求項1に記載する使用形態が変更可能な椅子。
【考案の詳細な説明】
【技術分野】
【０００１】
この考案は椅子の構造に関し、特に使用形態に応じて展開、収縮させることのできる形態変更可能な椅子に関する。
【背景技術】
【０００２】
従来の折り畳み椅子は、展開した場合前後の脚となる2つのフレームを交差させ、回動自在に連結してなり、
一方のフレームは上方に延伸して背もたれフレームとなる上端部を形成し、且つ、椅子を展開した場合に地面と平行する座部フレームの端縁部をそれぞれのフレームに連結する。係る構造による折り畳み椅子は、展開した場合に前脚となるフレームが背もたれフレームと一体に形成される。よって、折り畳む場合、背もたれフレームの部分は前脚となるフレームと一体になって移動し、座部フレームに合わさる動作しかできず、背もたれフレームと前後の脚となるフレームと座部フレームとを折り畳んで一体にすることができない。係る方式は折り畳み椅子を収納する場合、かなりの空間を占める、
【０００３】
また、従来の簡易ソファーは、背もたれの角度調整機能と、折り畳み機能を設計上のポイントとしている。係る設計の思考に基づいてさまざまな様式の簡易ソファーが開発されている。これらさまざまな様式の簡易ソファーは、無段式の仰向けになる角度の調整機能、フレームのアングルジョイント、もしくは折り畳み構造などをそれぞれ具えているが、但し折り畳んだ後の体積が大きくなるのみならず、使用者の望む態様に折り畳むことができないなどの欠点を有する。さらには、これらフレームのアングルジョイント、もしくは折り畳み構造などは構造が複雑であるため、製造コストが必然と高くなる。
【考案の開示】
【考案が解決しようとする課題】
【０００４】
上述するように、従来の椅子は折り畳む場合、一体に収縮させることができず、収納する場合に空間を占める。
また、従来の簡易ソファーについても折り畳んで収納する場合、使用者の望む態様に折り畳むことができず空間を占める。
【０００５】
そこで、この考案は収納する場合に折り曲げて畳むことができるため、体積を収縮することができる使用形態が変更可能な椅子を提供することを課題とする。
【課題を解決するための手段】
【０００６】
そこで、本考案者は従来の技術に見られる欠点に鑑み鋭意研究を重ねた結果支持ベースと、該支持ベースに、該支持べースに対して平行になるように接続する固定フレームと、無段式の角度調整ジョイントを介して該固定フレームの一端に回動自在に接続する可動フレームと、関節部を介して連結する2つのフレームによってなり、該固定フレームの支持ベースが接続する一端に別途関節部を介して回動自在に接続する支持体とを含んでなり、折り畳み自在に構成する使用形態が変更可能な椅子によって課題を解決できる点に着眼し、かかる知見に基づいて本発明を完成させた。
【０００７】
以下、この考案について具体的に説明する。
請求項1に記載する使用形態が変更可能な椅子は、支持ベースと、該支持ベースに、該支持ベースに対して平行になるように接続する固定フレームと、無段式の角度調整ジョイントを介して該固定フレームの該固定フレームの一端に回動自在に接続する可動フレームと、関節部を介して連結する2つのフレームによってなり、該固定フレームの支持ベースが接続する一端に別途関節部を介して回動自在に接続する支持体とを含んでなり、折り畳み自在に構成する。
【０００８】
請求項2に記載する使用形態が変更可能な椅子は、請求項1における前記固定フレーム、可動フレーム、支持体を被覆体で被覆する。
【考案の効果】
【０００９】
本考案の使用形態が変更可能な椅子は、収納時に湾曲して折り畳みができるため、体積が収縮され、広い空間を必要としない効果を有する。
【考案を実施するための最良の形態】
【００１０】
この考案は、使用形態に応じて展開、収縮させることのできる形態変更可能な椅子を提供するものであって、支持べースと、該支持べースに、該支持ベースに対して平行になるように接続する固定フレームと、無段式の角度調整ジョイントを介して該固定フレームの一端に回動自在に接続する可動フレームと、関節部を介して連結する2つのフレームによってなり、該固定フレームの支持ベースが接続する一端に別途関節部を介して回動自在に接続する支持体とを含んでなり、収納する場合に折り曲げて畳むことができるため、体積を収縮することができるという目的を実現した。
係る構成の使用形態の変更可能な椅子について、その構造と特徴を詳述するために具体的な実施例を挙げ、以下に説明する。
【実施例】
【００１１】
図1に、この考案の形態変更可能な椅子を開示する。図面によると、椅子は支持ベース10と、該支持ベース10の端縁部に接続し、支持べース10に対して平行になるように設けられた固定フレーム20と、該固定フレーム20の一端に回動自在に接続する可動フレーム30とを含んでなり、該固定フレーム20と可動フレーム30は、可動フレーム30の角度や位置を調節することができる無段式の角度調整ジョイント31を介して接続する。
【００１２】
関節部42を介して連結する2つのフレーム41によってなる支持体40は、該固定フレーム20の支持ベース10が接続する一端に別途関節部42を介して回動自在に接続するため、自由に折り畳むことができる。
【００１３】
図2に開示するように、展開する場合、固定フレーム20、支持体40、可動フレーム30を被覆体50で被覆する。次に可動フレーム30の無断式の角度調整ジョイント31を回転して可動フレーム30を水平な状態から支持ベース10に対して垂直な状態に形態を変更する。支持体40のフレーム41は、それぞれ関節部42により内側に折り畳まれ固定フレーム20上に折り重なっているため、折り畳んだ後の体積を収縮することができる。
【００１４】
図3に開示するように、座る場合には関節部42を回転させて、固定フレーム20に折り重るように内側に折り曲げられた支持体40のフレーム41を固定フレーム10と平面になるように展開する。また、図4に開示するように、無段式の角度調整ジョイント接続部31を回転させて、支持べース10に対して直立状態の可動フレーム30を水平にすると、ベッドのようになり椅子の上に横になることができる。このように、可動フレーム30と支持体40の位置を変更することにより被覆体50を展開して平坦な状態にするか、もしくは折り畳んだ状態にすることができる。よって、組み立てが簡素化されて、便利で、且つ収納時には湾曲して折り畳むことができるため、体積を収縮することができる。
【００１５】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用案登録請求の範囲に属するものとする。
【図面の簡単な説明】
【００１６】
【図１】この考案の形態が変更可能な椅子のフレームを展開した状態を示した説明図である。
【図２】図1に開示する形態が変更可能な椅子を折り曲げて畳んだ状態を示した斜視図である
【図３】図2に開示する形態が変更可能な椅子を展開した状態を示した斜視図である。
【図４】図2に開示する形態が変更可能な椅子を展開して平坦にした状態を示した斜視図である。
【符号の説明】
【００１７】
10  支持べース
20  固定フレーム
30  可動フレーム
31  角度調整ジョイント
40  支持体
41  フレーム
42  間接部
50  被覆体
【図１】
0003118577.tif 000003
【図２】
0003118577.tif 000004
【図３】
0003118577.tif 000005
【図４】
0003118577.tif 000006